(57)【要約】    【課題】  真空採血に際し、採取された血液が被採血者の血管内に逆流することを効果的に防止することができるだけでなく、採血作業を効率よく便利に行なうことができる採血針を提供する。    【解決手段】  採血針本体２と、連通針３と、一方端部に採血針本体２が固定されており、かつ他方端部側に開口４ｂを有する採血針本体固定部材４と、一方端部に連通針が固定されており、かつ他方端部側に開口５ｂを有する連通針固定部材５と、採血針本体固定部材４と連通針固定部材５とを連通させるための中空流路６ａが形成されており、中空流路の長さ方向に圧縮される中空流路６ａが閉塞される連通部材６とを備える、採血針。【選択図】        図１
2005319023.tif 000002
【特許請求の範囲】
【請求項１】
真空採血方式に用いられる採血針であって、
被採血者の血管内に挿入される採血針本体と、
真空採血管内に挿入される連通針と、
一方端部に採血針本体が固定されており、採血針本体に連なりかつ前記一方端部とは反対側の他方端部側に開口している流路を有する採血針本体固定部材と、
一方端部に連通針が固定されており、連通針に連なりかつ一方端部とは反対側の他方端部側に開口している流路を有する連通針固定部材と、
採血針本体固定部材と連通針固定部材との間に配置されており、かつ採血針本体固定部材の流路の開口と連通針固定部材の流路の開口とを連通させるための中空流路が形成されており、中空流路の長さ方向に圧縮されると、中空流路が閉塞される連通部材とを備え、
採血針本体固定部材の流路の開口と連通針固定部材の流路の開口とを、前記連通部材が該採血針本体固定部材と該連通針固定部材との間に挟まれた状態で近づけることができるように、採血針本体固定部材と連通針固定部材とが連結されていることを特徴とする採血針。
【請求項２】
採血針本体固定部材に雄ねじ又は雌ねじが形成されており、かつ連通針固定部材に前記雄ねじ又は雌ねじとかみ合う雌ねじ又は雄ねじが形成されており、採血針本体固定部材が連通針固定部材に対してねじ構造により連結されていることを特徴とする請求項１に記載の採血針。
【請求項３】
前記採血針本体固定部材と前記連通針固定部材は、開口端と一方端部に採血針本体又は連通針本体が固定されており、採血針本体又は連通針本体に連なりかつ該開口端側の他方端部側に開口している流路が形成されている端面部とを有する筒状体であって、
採血針本体固定部材の開口端と連通針固定部材の開口端とが向かい合わせて連結されることにより形成される空間に、前記連通部材が収容されていることを特徴とする請求項１または２に記載の採血針。
【請求項４】
前記連通部材は、ゴム状弾性体で構成されていることを特徴とする請求項１〜３のいずれか１項に記載の採血針。
【発明の詳細な説明】
【技術分野】
【０００１】
本発明は、内部の減圧を利用して血液を採取する真空採血方式に用いられる採血針に関し、より詳細には、真空採血に際しての逆流を防止する構造が備えられた採血針に関するものである。
【背景技術】
【０００２】
従来、真空採血管内の減圧を利用して採血を行う真空採血方法が種々提案されている。このような真空採血方法では、一般的に、被採血者の血管内の圧力を高くするために駆血帯が用いられる。駆血帯により被採血者の血管内の圧力が高められている状態で、ホルダーに固定されている採血針を被採血者の血管内に挿入する。血管内に採血針を挿入すると同時に、ホルダーの開口から真空採血管を挿入し、採血針の真空採血管側の針部を、真空採血管の開口に取り付けられた栓体に刺通し、真空採血管と採血針とを連通させる。栓体は通常、ゴムやエラストマーなどのように、採血針により刺通され得る物質で構成されている。真空採血管内は減圧されているので、被採血者の血管内から血液が採血針に導かれて、真空採血管内に採取される。
【０００３】
ところで、通常、凝固機能検査用や血沈検査用の真空採血管では、採取した血液の凝固を防止するために、真空採血管内にはヘパリンやクエン酸塩水溶液などの血液抗凝固剤が収納されている。また生化学検査用の真空採血管では、血液の凝固を促進するために、シリカやカオリン、珪藻土といったようなシリカ系鉱物が真空採血管内に血液凝固促進剤として収納されている。さらに、場合によっては、採取した血液の検査結果を直ちに得るために、検査試薬が真空採血管内に収納されていたりすることもある。これらの血液処理薬剤は、濃度が定められたものとなるように、採取する血液の量に応じて、細かくその収納量が管理されている。
【０００４】
真空採血方式による採血では、血液の採取は圧力差を利用して自動的に行われるので、採血者は針先が被採血者の血管内に正しく位置されているかどうかのみに注意を集中していればよい。また、上述した血液抗凝固剤や血液凝固促進剤などの血液処理薬剤との混和も、予め収納されている血液処理薬剤との混合操作のみであり、自ら血液処理薬剤を秤量して、採取した血液に投入する必要もなく、採血業務の簡素化と標準化に有用なものである。
【０００５】
しかしながら、採血作業が不適切であると、真空採血管内に採取した血液が、被採血者の血管内に逆流するおそれがあった。逆流現象が生じると、真空採血管内の上記の血液処理薬剤が被採血者の血管内に移行することになる。これらの血液処理薬剤としては、血液細胞を非生理的な状態に固定する作用を有するものが使われており、前記血液処理薬剤が生体内に移行することは好ましくない。
【０００６】
そこで、採血針の内部に血液の逆流を防止する構造が備えられた採血針を用いた真空採血方法が、種々提案されている。
【０００７】
例えば、下記の特許文献１には、室が形成されている採血針が開示されている。被採血者の血管から導かれた血液は、一度、前記室に貯留される。室に貯留された血液が、真空採血管内に導かれる。逆流現象が生じると、まず室に貯留されている血液が被採血者の血管内に逆流する。従って、真空採血管内に採取され、かつ血液処理薬剤と混合された血液が、血管内に逆流するのを遅らせることができる。
【０００８】
また、下記の特許文献２には、採血流量を調整する機構を有する装置が備えられた採血針が開示されている。採血針の一部の流路に、弾性体材料で構成された中空流路を有する血流制御装置が設けられている。該血流制御装置は指などで押さえられると、押さえられた部分は、容易に閉塞され血流が遮断される。
【特許文献１】特開昭５７−１１６６０号公報
【特許文献２】特開昭５６−１０９６４３号公報
【発明の開示】
【発明が解決しようとする課題】
【０００９】
上記のように、特許文献１及び特許文献２に記載の構造では、真空採血管に採取され、かつ血液処理薬剤と混合された血液が、被採血者の血管内に逆流することを防止することが、一応可能とされている。
【００１０】
しかしながら、特許文献１に記載の構造では、血液処理薬剤と混合された血液が、被採血者の体内に逆流するのを遅らせるだけであり、逆流現象自体を防止する機構は備えられていない。従って、血液処理薬剤と混合された血液が、被採血者の血管内に逆流することを完全に防止することはできなかった。
【００１１】
また、特許文献２に記載の構造では、採血中の血管のつぶれにより採血の継続が困難になる場合に、効果が発揮される。一方、血液の流れを完全に遮断したい場合には、常に前記血流制御装置が指で押さえられている状態にしなければならなかった。真空採血管を交換する場合や駆血体を取り外す場合などに、一人で作業を行なうことは困難であり、非常に不便であった。
【００１２】
さらに、逆流現象が生じた場合に、前記血流制御装置が指で押さえられて流路が遮断されるが、誤って血流制御装置から指が離されると、血液処理薬剤と混合された血液が、被採血者の血管内に逆流することは確実であり、完全に防止できるまでには至らなかった。本発明の目的は、上述した従来技術の欠点を解消し、真空採血に際し、採取された血液が被採血者の血管内に逆流することを効果的に防止することができるだけでなく、採血作業を効率よく便利に行なうことができる採血針を提供することにある。
【課題を解決するための手段】
【００１３】
本願の発明は、真空採血方式に用いられる採血針であって、被採血者の血管内に挿入される採血針本体と、真空採血管内に挿入される連通針とを有する。一方端部に採血針本体が固定されており、採血針本体に連なりかつ前記一方端部とは反対側の他方端部側に開口している流路を有する採血針本体固定部材と、一方端部に連通針が固定されており、連通針に連なりかつ一方端部とは反対側の他方端部側に開口している流路を有する連通針固定部材とを有する。採血針本体固定部材と連通針固定部材との間に配置されており、かつ採血針本体固定部材の流路の開口と連通針固定部材の流路の開口とを連通させるための中空流路が形成されており、中空流路の長さ方向に圧縮されると、中空流路が閉塞される連通部材を備える。採血針本体固定部材の流路の開口と連通針固定部材の流路の開口とを、前記連通部材が該採血針本体固定部材と該連通針固定部材との間に挟まれた状態で近づけることができるように、採血針本体固定部材と連通針固定部材とが連結されていることを特徴とする。
【００１４】
本願発明のある特定の局面では、採血針本体固定部材に雄ねじ又は雌ねじが形成されており、かつ連通針固定部材に前記雄ねじ又は雌ねじとかみ合う雌ねじ又は雄ねじが形成されている。採血針本体固定部材が連通針固定部材に対してねじ構造により連結されていることを特徴とする。
【００１５】
本願発明のさらに他の特定の局面では、前記採血針本体固定部材と前記連通針固定部材は、開口端と一方端部に採血針本体又は連通針本体が固定されており、採血針本体又は連通針本体に連なりかつ該開口端側の他方端部側に開口している流路が形成されている端面部とを有する筒状体である。採血針本体固定部材の開口端と連通針固定部材の開口端とが向かい合わせで連結されることにより形成される空間に、前記連通部材が収容されていることを特徴とする
本願発明のさらに他の特定の局面では、前記連通部材は、ゴム状弾性体で構成されていることを特徴とする。
【発明の効果】
【００１６】
本願発明に係る採血針では、前記連通部材が備えられている。連通部材が備えられていることにより、逆流現象が生じても、連通部材が、該連通部材に形成されている中空流路の長さ方向に圧縮されると、該中空流路は閉塞される。また、連通部材は、採血者の指によって圧縮されているわけではないので、真空採血管の交換や駆血体の取り外しなどの採血作業も容易に行なうことができる。また、採取された血液が被採血者の血管内に逆流することを確実に防止することができる。
【００１７】
前記採血針本体固定部材が前記連通針固定部材に対してねじ構造により連結されている場合には、採血針本体固定部材と連通針固定部材とを確実に連結させることができる。さらに、前記採血針本体固定部材が前記連通針固定部材に対してねじ構造で連結されていると、採血針本体固定部材と連通針固定部材とは、採血針本体固定部材と連通針固定部材との間に設けられている連通部材に対して安定した押し圧力を与えることができる。すなわち、連通部材が圧縮されている状態を、安定に維持することができる。
【００１８】
前記採血針本体固定部材と前記連通針固定部材が、端面部と開口端を有する筒状体で構成されている場合には、採血針本体固定部材の開口端と連通針固定部材の開口端とが向かい合わせで連結されることにより形成される空間内に、前記連通部材が収容され得る。従って、前記空間内に連通部材が収容され得ると、連通部材がずれることなどなく、採血針本体固定部材と連通針固定部材との端面部に形成されている流路を、確実に連通させることができる。
【００１９】
また、前記連通部材がゴム状の弾性体で構成されている場合には、連通部材を容易に圧縮させることができる。
【発明を実施するための最良の形態】
【００２０】
以下、図面を参照しつつ、本発明の具体的な実施形態を説明することにより、本発明を明らかにする。
【００２１】
図１は、本発明の実施形態に係る採血針を示す正面断面図である。図１に示す採血針１は、被採血者の血管内に挿入される採血針本体２と、真空採血管内に挿入される連通針３とを有する。前記採血針本体２及び前記連通針３は、被採血者の血管及び真空採血管の栓体を刺通し得る材質で構成されている。通常、ステンレスなどの金属が用いられる。前記採血針本体２及び前記連通針３は中空針であり、かつ先端部に針部を有する。
【００２２】
前記採血針本体固定部材４は、端面部と開口端とを有する円筒体で構成されている。採血針本体固定部材４の端面部の一方端部には、採血針本体２が固定されている。また採血針本体固定部材４の端面部には、採血針本体２に連なりかつ採血針本体固定部材４の開口端側に面している他方端部側に開口４ｂを有する流路４ａが形成されている。もっとも、採血針本体２の基端開口２ａが、採血針本体固定部材４の端面部の開口４ｂに至る位置で採血針本体２が固定されていれば、流路４ｂは形成されなくてもよい。採血針本体固定部
材４の開口端近傍の外周面に、雄ねじ又は雌ねじの一方４ｃが形成されている。
【００２３】
前記採血針本体固定部材４は、硬質の材料で構成されていることが好ましい。このような硬質の材料の例としては、鎖状または環状オレフィン系樹脂、スチレン系樹脂、アクリル系樹脂、エステル系樹脂、アクリロニトリル系樹脂、アミド系樹脂、アルコール系樹脂、もしくは変性セルロース系樹脂など、及びこれらの共重合体などの熱可塑性樹脂、あるいは、フェノール系樹脂、エステル系樹脂、尿素系樹脂、もしくはメラミン系樹脂などの熱硬化性樹脂、又はステンレスのような金属などが挙げられる。
【００２４】
前記連通針固定部材５は、採血針本体固定部材４と同様に、端面部と開口端とを有しており、かつ連通針固定部材５の内径は、採血針本体固定部材４の外径と等しい円筒体で構成されている。連通針固定部材５の内部には、前記連通部材６が圧縮される状態をとり得るように、円柱体の凸部５ｄが設けられている。
【００２５】
連通針固定部材５の端面部の一方端部には、連通針３が固定されている。また連通針固定部材５の端面部の連通針固定部材５の開口端側に面している他方端部側は、前記凸部５ｄの底面と一体化されている。連通針３に連なりかつ連通針固定部材５の凸部５ｄの先端に開口５ｂを有する流路５ａが形成されている。もっとも、連通針３の基端開口３ａが、連通針固定部材５の開口５ｂに至る位置で連通針３が固定されていれば、流路５ａは形成されなくてもよい。連通針固定部材５の内周面に、採血針本体固定部材４に形成されている雄ねじ又は雌ねじの一方４ｃとかみ合う雌ねじ又は雄ねじの一方５ｃが形成されている。
【００２６】
前記連通針固定部材５の外周面には、採血針本体固定部材４の開口４ｂと連通針固定部材５の開口５ｂとが、近づけられたり遠ざけたりするために、連通針固定部材５を移動させるためのねじの調節が行なわれるつまみ７が設けられている。なお、連通針固定部材５自体を動かすことにより、直接ねじの調節が行なわれてもよいので、つまみ７は設けられなくてもよい。
【００２７】
前記連通針固定部材５も採血針本体固定部材４と同様に、上記例に挙げられている熱可塑性樹脂、熱硬化性樹脂、金属などの硬質の材料で構成されていることが好ましい。
【００２８】
連通部材６は、ゴムやエラストマーなどの弾性体で構成されている。連通部材６は、採血針本体固定部材４の内部に適合する円柱状で、採血針本体固定部材４の開口４ｂと連通針固定部材５の開口５ｂとを連通させる中空流路６ａが形成されている。連通部材６は、採血針本体固定部材４の開口４ｂと連通針固定部材５の開口５ｂとが、連通部材６の中空流路６ａにより連通されるように、採血針本体固定部材４の内部に収容されている。通常、連通部材６の中空流路６ａは閉塞されず、採取された血液が容易に流れ得る状態を維持しなければならない。従って、採血針本体固定部材４と連通針固定部材５とは、採血針本体固定部材４の開口４ｂと連通部材６の中空流路６ａとが液密的に密着しており、かつ連通針固定部材５の開口５ｂと連通部材６の中空流路６ａとが液密的に密着しており、かつ連通部材６が連通針固定部材５の凸部５ｄにより圧縮されない程度に、ねじが締められて連結されている。
【００２９】
次に、本発明の採血針１の使用方法を図２（ａ）、（ｂ）の図を参照して説明する。図２（ａ）に示されているように、採血針１は、連通部材６の中空流路６ａにより採血針本体固定部材４の開口４ｂと連通針固定部材５の開口５ｂとが連通されている。
【００３０】
すなわち、被採血者の血管から採取された血液は、採血針本体２を通り、流路４ａに導かれる。そして、連通部材６の中空流路を通り、流路５ａに導かれ、連通針３に至る。採
血針本体２の針部から連通針３の針部まで１本の流路が形成されている。
【００３１】
しかしながら、逆流現象が生じ得る状態では、図２（ｂ）に示されているように、連通部材６の中空流路６ａを閉塞し、血液の流路を遮断すればよい。
【００３２】
すなわち、つまみ７を回すことによって、ねじが締められ、採血針本体固定部材４の開口４ｂと、連通針固定部材５の開口５ｂとが近づく。採血針本体固定部材４の開口４ｂと、連通針固定部材５の開口５ｂとが近づこうとすると、採血針本体固定部材４の内部に収容されている連通部材６は、連通針固定部材５の凸部５ｄにより、押圧力が加えられ圧縮された状態になる。連通部材６は、弾性体で構成されているので、押圧力によって容易に圧縮され得る。連通部材６が圧縮されると、中空流路６ａは連通部材６の壁面に押し潰され、閉塞される。従って、中空流路６ａが閉塞されることにより、血液の流路が遮断され逆流を防止することが可能である。
【００３３】
さらに、連通針固定部材５の凸部５ｄにより連通部材６が圧縮されており、かつ連通部材６は、圧縮されている状態が、採血針本体固定部材４と連通針固定部材５とのねじ構造により確実に維持される。従って、採血者は指で連通部材６に圧力を加える必要がなく、両手を使うことができるので、採血作業が容易に行なうことができる。
【００３４】
また、逆流現象を防ぐため、採血者が指で連通部材６に圧力を加えているときに、誤って指を連通部材６から離してしまった場合であっても、本発明の採血針１では、ねじ構造により連通部材６は、圧縮されている状態が維持されているので、逆流が生じることがなく、すなわち、人為的な誤りがなくなり、確実に逆流が防止される。
【００３５】
なお、上述した実施形態は一例であり、連通針固定部材の内部に連通部材が収容され、かつ採血針本体固定部材の内部に凸部が設けられている形態でもよく、採血針本体固定部材と連通針固定部材との両方の内部に挟まれるように、連通部材が収容されている形態でもよい。
【００３６】
また、採血針本体固定部材と連通針固定部材は、円筒体だけでなく、角筒体やその他の筒状体でもよく、凸部は円柱体だけではなく、角柱体やその他の柱体でもよい。
【図面の簡単な説明】
【００３７】
【図１】本発明の一実施形態に係る採血針の正面断面図。
【図２】（ａ）、（ｂ）は本発明の実施形態による採血針の使用方法を説明するための正面断面図。
【符号の説明】
【００３８】
１…採血針
２…採血針本体
２ａ…基端開口
３…連通針
３ａ…基端開口
４…採血針本体固定部材
４ａ…流路
４ｂ…開口
４ｃ…雄ねじ又は雌ねじ
５…連通針固定部材
５ａ…流路
５ｂ…開口
５ｃ…雌ねじ又は雄ねじ
５ｄ…凸部
６…連通部材
６ａ…中空流路
７…つまみ
【図１】
2005319023.tif 000003
【図２】
2005319023.tif 000004